(57)【要約】【課題】入力される様々な周波数の映像信号にオンスクリーン表示信号を重畳し、様々な解像度の表示装置に接続し表示できるようにすることを目的とする。【解決手段】接続先の表示装置の特定の垂直方向の解像度に合わせた基本オンスクリーン表示信号のみを格納している基本オンスクリーン表示データ部１５と、入力される映像信号の垂直方向の解像度と接続先の表示装置の垂直方向の解像度から前記基本オンスクリーン表示データ部１５より出力されるオンスクリーン表示信号を拡大制御するオンスクリーン表示拡大制御部１６とを有し、入力される映像信号の垂直方向の解像度と、接続先の表示装置の垂直方向の解像度より、基本オンスクリーン表示データ部１５のオンスクリーン表示信号を拡大制御し、映像信号に重畳し出力する。【選択図】　図１
2004029263.tif 000002
【特許請求の範囲】
【請求項１】
入力される映像信号にオンスクリーン表示信号を重畳して表示装置に表示するオンスクリーン表示装置において、映像信号に重畳するオンスクリーン表示デザイン信号であって接続先の表示装置の特定の垂直方向の解像度に合わせた基礎デザイン信号のみを格納している基本オンスクリーン表示データ部を有し、入力される映像信号の垂直方向の解像度と接続先の表示装置の垂直方向の解像度に応じて、前記オンスクリーン表示デザイン信号の垂直方向の拡大倍率を変更して映像信号に重畳し出力するように構成したことを特徴とするオンスクリーン表示装置。
【請求項２】
接続先の表示装置の垂直方向の解像度を伝える表示装置解像度指示部と、入力される映像信号の垂直方向の解像度を判断する映像信号解像度認識部と、映像信号に重畳するオンスクリーン表示デザイン信号であって接続先の表示装置の特定の垂直方向の解像度に合わせた基礎デザイン信号のみを格納している基本オンスクリーン表示データ部と、前記表示装置解像度指示部の垂直方向の解像度指示と前記映像信号解像度認識部が認識した入力映像信号の垂直方向の解像度から前記基本オンスクリーン表示データ部の基本オンスクリーン表示信号の拡大倍率を決定するオンスクリーン表示拡大制御部と、このオンスクリーン表示拡大制御部で拡大制御したオンスクリーン表示信号を映像信号と重畳し出力するオンスクリーン表示合成部とを備え、入力される映像信号の垂直方向の解像度と接続先の表示装置の垂直方向の解像度に応じて、前記オンスクリーン表示デザイン信号の垂直方向の拡大倍率を変更して映像信号に重畳し出力するように構成したことを特徴とするオンスクリーン表示装置。
【請求項３】
オンスクリーン表示拡大制御部は、接続先の表示装置の垂直方向の解像度が、映像信号の垂直方向の解像度よりも低い場合のみ、入力される映像信号の垂直方向の解像度を接続先の表示装置の垂直方向の解像度で除算した値以上の倍率で基本オンスクリーン表示データ部のオンスクリーン表示信号を拡大することを特徴とする請求項２に記載のオンスクリーン表示装置。
【請求項４】
オンスクリーン表示拡大制御部は、基本オンスクリーン表示信号を垂直方向に拡大した比率と同じ比率にて水平方向にも基本オンスクリーン表示信号を拡大することにより、オンスクリーン表示の拡大前後のオンスクリーン表示の縦横比率を同比率にすることを特徴とする請求項２に記載のオンスクリーン表示装置。
【発明の詳細な説明】
【０００１】
【発明の属する技術分野】
本発明は映像信号に重畳するオンスクリーン表示に関し、特に様々な周波数の映像信号にオンスクリーン表示信号を重畳し、様々な解像度の表示装置に接続し表示することが可能なオンスクリーン表示装置に関するものである。
【０００２】
【従来の技術】
入力される様々な周波数の映像信号にオンスクリーン表示信号を重畳し、様々な解像度の表示装置に接続し表示する方法として種々の方法が考えられている。
【０００３】
以下従来のオンスクリーン表示装置について、図２を用いて説明する。図２において、１はオンスクリーン表示装置である。オンスクリーン表示装置１は、様々な周波数の映像信号が入力される映像信号入力端子２と、前記映像信号入力端子２より入力される映像信号の垂直方向の解像度を認識する映像信号解像度認識部３と、入力される様々な映像信号の垂直方向及び水平方向の解像度に合わせた解像度毎のオンスクリーン表示のデザイン信号が格納され、かつ前記映像信号解像度認識部３の認識した垂直方向の解像度に応じて認識した垂直方向の解像度用のオンスクリーン表示デザインデータを選択し出力する複数解像度オンスクリーン表示データ部４と、前記映像信号入力端子２より入力される様々な周波数の映像信号と前記複数解像度オンスクリーン表示データ部４から出力されるオンスクリーン表示信号とを合成し出力するオンスクリーン表示合成部５、前記オンスクリーン表示合成部５から出力されるオンスクリーン表示信号を重畳した映像信号を出力し、様々な解像度の表示装置に接続する出力端子６とから構成されている。
【０００４】
以上のような構成のオンスクリーン表示装置について、その動作を説明する。まず、映像信号入力端子２より映像信号が入力され、映像信号解像度認識部３及び、オンスクリーン表示合成部５に入力される。映像信号解像度認識部３は、入力された映像信号の周波数より垂直方向の解像度を認識し、認識した垂直方向の解像度を複数解像度オンスクリーン表示データ部４に伝える。複数解像度オンスクリーン表示データ部４は映像信号解像度認識部３が認識した映像信号の垂直方向の解像度指示を受け、指示された解像度用のオンスクリーン表示データを選択し出力する。オンスクリーン表示合成部５は、映像信号入力端子２より入力された映像信号に、複数解像度オンスクリーン表示データ部４より出力されたオンスクリーン表示信号を重畳し出力するもので、オンスクリーン表示合成部５より出力されるオンスクリーン表示信号重畳後の映像信号は、出力端子６より表示装置に出力され、表示されることとなる。
【０００５】
【発明が解決しようとする課題】
近年の電子機器は、電子機器の操作ガイドや動作状況表示、また電子機器の調整及び設定用メニューなどの機能をオンスクリーン表示を駆使して、グラフィカルなユーザインターフェイスを実現している。そのため、非常に多くのオンスクリーン表示デザインデータが必要である。
【０００６】
しかしながら、上記のようなオンスクリーン表示装置は、元々上記に示す様々な機能を実現するためのオンスクリーン表示の基本デザインが必要である上、さらに入力される様々な周波数の映像信号、つまり解像度の異なる映像信号毎に、オンスクリーン表示デザインを持つ必要がある。その周波数毎のオンスクリーン表示デザインを作成するには多くの人為的労力及び時間を必要とし、また入力される様々な周波数の映像信号毎にオンスクリーン表示のデザインデータを持つということは、その分ＲＯＭメモリの記憶容量として多くの容量を必要とするためコストアップにつながるという問題を有していた。
【０００７】
本発明はこのような課題に鑑みなされたもので、入力される様々な周波数の映像信号と接続先の様々な解像度の表示装置に合わせたオンスクリーン表示を簡単に行えるようにすることを目的とする。
【０００８】
【課題を解決するための手段】
上記課題を解決するために本発明のオンスクリーン表示装置は、映像信号に重畳するオンスクリーン表示デザイン信号であって接続先の表示装置の特定の垂直方向の解像度に合わせた基礎デザイン信号のみを格納している基本オンスクリーン表示データ部を有し、入力される映像信号の垂直方向の解像度と接続先の表示装置の垂直方向の解像度に応じて、前記オンスクリーン表示デザイン信号の垂直方向の拡大倍率を変更して映像信号に重畳し出力するように構成したものである。
【０００９】
【発明の実施の形態】
すなわち本発明の請求項１記載の発明は、入力される映像信号にオンスクリーン表示信号を重畳して表示装置に表示するオンスクリーン表示装置において、映像信号に重畳するオンスクリーン表示デザイン信号であって接続先の表示装置の特定の垂直方向の解像度に合わせた基礎デザイン信号のみを格納している基本オンスクリーン表示データ部を有し、入力される映像信号の垂直方向の解像度と接続先の表示装置の垂直方向の解像度に応じて、前記オンスクリーン表示デザイン信号の垂直方向の拡大倍率を変更して映像信号に重畳し出力するように構成したことを特徴とするものである。
【００１０】
また、請求項２記載の発明は、接続先の表示装置の垂直方向の解像度を伝える表示装置解像度指示部と、入力される映像信号の垂直方向の解像度を判断する映像信号解像度認識部と、映像信号に重畳するオンスクリーン表示デザイン信号であって接続先の表示装置の特定の垂直方向の解像度に合わせた基礎デザイン信号のみを格納している基本オンスクリーン表示データ部と、前記表示装置解像度指示部の垂直方向の解像度指示と前記映像信号解像度認識部が認識した入力映像信号の垂直方向の解像度から前記基本オンスクリーン表示データ部の基本オンスクリーン表示信号の拡大倍率を決定するオンスクリーン表示拡大制御部と、このオンスクリーン表示拡大制御部で拡大制御したオンスクリーン表示信号を映像信号と重畳し出力するオンスクリーン表示合成部とを備え、入力される映像信号の垂直方向の解像度と接続先の表示装置の垂直方向の解像度に応じて、前記オンスクリーン表示デザイン信号の垂直方向の拡大倍率を変更して映像信号に重畳し出力するように構成したことを特徴とするものである。
【００１１】
さらに、請求項３記載の発明は、請求項２において、オンスクリーン表示拡大制御部は、接続先の表示装置の垂直方向の解像度が、映像信号の垂直方向の解像度よりも低い場合のみ、入力される映像信号の垂直方向の解像度を接続先の表示装置の垂直方向の解像度で除算した値以上の倍率で基本オンスクリーン表示データ部のオンスクリーン表示信号を拡大することを特徴とする。
【００１２】
また、請求項４記載の発明は、請求項２において、オンスクリーン表示拡大制御部は、基本オンスクリーン表示信号を垂直方向に拡大した比率と同じ比率にて水平方向にも基本オンスクリーン表示信号を拡大することにより、オンスクリーン表示の拡大前後のオンスクリーン表示の縦横比率を同比率にすることを特徴とする。
【００１３】
以下、本発明の一実施の形態によるオンスクリーン表示装置について、図１を用いて説明する。
【００１４】
図１は本発明の一実施の形態によるオンスクリーン表示装置のブロック図である。図１において、１０は表示装置であり、入力される様々な周波数の映像信号、またはオンスクリーン表示信号重畳後の映像信号を表示装置自身の垂直及び水平方向の解像度にフォーマット変換して表示することが可能なものである。１１は表示装置１０の垂直方向の解像度をオンスクリーン表示装置に伝える表示装置解像度指示部、１２はオンスクリーン表示装置である。
【００１５】
このオンスクリーン表示装置１２は、様々な周波数の映像信号が入力される映像信号入力端子１３と、この映像信号入力端子１３より入力される映像信号の垂直方向の解像度を認識する映像信号解像度認識部１４と、様々な解像度を持つ表示装置に対し特定の垂直方向の解像度に合わせたオンスクリーン表示デザイン信号のみを格納している基本オンスクリーン表示データ部１５と、前記表示装置解像度指示部１１の垂直方向の解像度指示と前記映像信号解像度認識部１４が認識した入力映像信号の垂直方向の解像度とに基づき、前記基本オンスクリーン表示データ部１５のオンスクリーン表示データの拡大倍率を決定し拡大するオンスクリーン表示拡大制御部１６と、前記映像信号入力端子１３より入力される様々な周波数の映像信号に、前記オンスクリーン表示拡大制御部１６にて拡大制御されたオンスクリーン表示データ信号を合成し出力するオンスクリーン表示合成部１７と、前記オンスクリーン表示合成部１７から出力されるオンスクリーン表示信号重畳後の映像信号を、様々な解像度の表示装置に出力する出力端子１８とから構成されている。
【００１６】
以上のような構成のオンスクリーン表示装置について、その動作を説明する。
【００１７】
まず、映像信号入力端子１３より映像信号が入力され、映像信号解像度認識部１４及びオンスクリーン表示合成部１７に入力される。また表示装置解像度指示部１１は表示装置１０の垂直方向の解像度をオンスクリーン表示拡大制御部１６に伝える。映像信号解像度認識部１４は入力された映像信号の周波数より垂直方向の解像度を認識し、認識した垂直方向の解像度をオンスクリーン表示拡大制御部１６に伝える。オンスクリーン表示拡大制御部１６は、映像信号解像度認識部１４からの入力された映像信号の垂直方向の解像度指示と、表示装置解像度指示部１１からの表示装置の垂直方向の解像度指示を読み取り、入力される映像信号の垂直方向の解像度が接続先の表示装置の垂直方向の解像度が入力される映像信号の垂直方向の解像度より低い場合のみ、入力される映像信号の垂直方向の解像度を接続先の表示装置の垂直方向の解像度で除算し、基本オンスクリーン表示データ部１５より入力される接続先の表示装置の特定の垂直解像度に合わせたオンスクリーン表示信号を垂直方向に除算値にて拡大する。次に、垂直方向拡大後のオンスクリーン表示信号を垂直方向に拡大した倍率と同倍率にて水平方向に拡大し、オンスクリーン表示拡大制御部１６より出力する。この拡大倍率は、除算値以上であればよい。また、このオンスクリーン表示拡大制御部１６、基本オンスクリーン表示信号を垂直方向に拡大した比率と同じ比率にて水平方向にも拡大するように構成することにより、オンスクリーン表示の拡大前後のオンスクリーン表示の縦横比率を同比率とすることができる。
【００１８】
次に、オンスクリーン表示合成部１７は映像信号入力端子１３より入力された映像信号に、オンスクリーン表示拡大制御部１６より拡大制御されたオンスクリーン表示信号を重畳し、出力端子１８からオンスクリーン表示信号重畳後の映像信号が表示装置に出力される。
【００１９】
以上のように本実施の形態によれば、接続先の表示装置の特定の垂直方向の解像度に合わせた基本オンスクリーン表示信号のみを有するだけで、入力される様々な周波数の映像信号及び様々な接続先の表示装置の解像度に合わせたオンスクリーン表示を行うことができる。
【００２０】
【発明の効果】
以上のように本発明は、様々な周波数の映像信号が入力され、かつ様々な解像度の表示装置に接続し表示する場合に、入力される映像信号の周波数毎にオンスクリーン表示信号を作成する必要がなく、入力される周波数毎のオンスクリーン表示信号データを持つ必要がないため、簡単な構成で実現することができる。
【図面の簡単な説明】
【図１】本発明の一実施の形態によるオンスクリーン表示装置のブロック図
【図２】従来のオンスクリーン表示装置のブロック図
【符号の説明】
１０　表示装置
１１　表示装置解像度指示部
１２　オンスクリーン表示装置
１３　映像信号入力端子
１４　映像信号解像度認識部
１５　基本オンスクリーン表示データ部
１６　オンスクリーン表示拡大制御部
１７　オンスクリーン表示合成部
１８　出力端子
【図１】
2004029263.tif 000003
【図２】
2004029263.tif 000004